(57)【要約】【課題】他人にディスプレイを覗かれても、ユーザの私的な情報である文章や画像等の盗視を防止することができる携帯情報端末を得ることを目的とする。【解決手段】操作に対応する内容を示すユーザ確認画面と、他人に覗かれても支障がないプライバシー保護画面とをレンティキュラー表示器７に多重表示するように構成した。これにより、他人にディスプレイを覗かれても、他人がユーザと同じ視線角度で覗かない限り、ユーザ確認画面を見ることができず（他人にはプライバシー保護画面が見える）、ユーザの私的な情報である文章や画像等の盗視を防止することができる。【選択図】        図１
2004302186.tif 000002
【特許請求の範囲】
【請求項１】
操作に対応する内容を示すユーザ確認画面を生成する確認画面生成手段と、他人に覗かれても支障がないプライバシー保護画面を生成する保護画面生成手段と、上記確認画面生成手段により生成されたユーザ確認画面と上記保護画面生成手段により生成されたプライバシー保護画面を多重表示する多重表示手段とを備えた携帯情報端末。
【請求項２】
多重表示手段は、プライバシーの保護要求を受けるとユーザ確認画面とプライバシー保護画面を多重表示し、プライバシーの保護要求が解除されると当該ユーザ確認画面のみを表示することを特徴とする請求項１記載の携帯情報端末。
【請求項３】
多重表示手段は、ディスプレイに対する視線角度に応じてユーザ確認画面又はプライバシー保護画面の何れかの視認を可能にすることを特徴とする請求項１記載の携帯情報端末。
【請求項４】
多重表示手段は、ディスプレイに対する横方向の視線角度が変化すると視認対象の画像が切り換わるモードと、上記ディスプレイに対する縦方向の視線角度が変化すると視認対象の画像が切り換わるモードとを備えていることを特徴とする請求項３記載の携帯情報端末。
【請求項５】
多重表示手段は、ユーザ確認画面及びプライバシー保護画面の視認が可能になる視線角度の変更処理を実施することを特徴とする請求項３記載の携帯情報端末。
【請求項６】
多重表示手段は、人の存在位置を検出して、ユーザ確認画面の視認が可能になる視線角度を人が存在する方向に合わせることを特徴とする請求項５記載の携帯情報端末。
【発明の詳細な説明】
【０００１】
【発明の属する技術分野】
この発明は、他人によるメールの文章等の覗きを防止する機能を備えている携帯情報端末に関するものである。
【０００２】
【従来の技術】
従来の携帯電話などの携帯情報端末は、ユーザの操作に伴って送信メールや受信メールなどをディスプレイに表示するが、多くの人が集まる場所（例えば、満員電車など）では、ディスプレイの表示内容を他人に覗かれることがある（例えば、特許文献１参照）。
【０００３】
【特許文献１】
特開２００１−１０１１０１号公報（段落番号［００３２］、図１０）
【０００４】
【発明が解決しようとする課題】
従来の携帯情報端末は以上のように構成されているので、例えば、送信メールや受信メールなどをディスプレイに表示するが、多くの人が集まる場所では、ディスプレイの表示内容を他人に覗かれることがあり、ユーザのプライバシーを保護することが困難であるなどの課題があった。
【０００５】
この発明は上記のような課題を解決するためになされたもので、他人にディスプレイを覗かれても、ユーザの私的な情報である文章や画像等の盗視を防止することができる携帯情報端末を得ることを目的とする。
【０００６】
【課題を解決するための手段】
この発明に係る携帯情報端末は、操作に対応する内容を示すユーザ確認画面と、他人に覗かれても支障がないプライバシー保護画面とを多重表示するようにしたものである。
【０００７】
【発明の実施の形態】
以下、この発明の実施の一形態を説明する。
実施の形態１．
図１はこの発明の実施の形態１による携帯情報端末を示す構成図である。この実施の形態１では携帯情報端末が携帯電話であるものについて説明するが、これに限るものではなく、例えば、ＰＤＡやモバイルＰＣなどでもよい。
図において、キー入力部１は携帯電話のテンキーやメニューキー等が該当し、例えば、プライバシーの保護を要求する場合や、メールの表示を要求する際に使用される。画面フォーマット格納部２は携帯電話に内蔵されているメモリの一部を占有し、各種の操作に対応する内容を示すユーザ確認画面（ユーザ確認画面は、他人に覗かれるとプライバシーが侵害される可能性がある画面であり、例えば、送信メール作成画面、受信メール表示画面、スケジュール表示画面、写真表示画面、フリーメモ画面などが該当する）の定型的な画面形式データの他、他人に覗かれても支障がないプライバシー保護画面（例えば、一般的な花や風景等が表示され、ユーザの私的な情報が表示されていない画面）の定型的な画面形式データを格納している。
データ格納部３は携帯電話に内蔵されているメモリの一部を占有し、電話帳に対する登録データや受信メールなどを格納している。
【０００８】
確認画面生成部４は例えばキー入力部１から受信メールの表示要求を受けると、画面フォーマット格納部２に格納されている受信メール表示画面（ユーザ確認画面）の画面形式データと、データ格納部３に格納されている受信メールの受信データとにしたがって受信メール表示画面を生成する。保護画面生成部５は画面フォーマット格納部２に格納されているプライバシー保護画面の定型的な画面形式データにしたがってユーザ確認画面を生成する。
なお、画面フォーマット格納部２、データ格納部３及び確認画面生成部４から確認画面生成手段が構成され、画面フォーマット格納部２、データ格納部３及び保護画面生成部５から保護画面生成手段が構成されている。
【０００９】
多重表示制御部６は確認画面生成部４により生成された受信メール表示画面と保護画面生成部５により生成されたプライバシー保護画面をレンティキュラー表示器７に多重表示する。レンティキュラー表示器７はユーザ確認画面の走査線を構成する画素群と、プライバシー保護画面表示用の走査線を構成する画素群とが交互に配置され、ディスプレイに対する視線角度に応じてユーザ確認画面又はプライバシー保護画面の何れかの視認を可能にするレンティキュラーレンズが上記走査線の上に載置されている。なお、多重表示制御部６及びレンティキュラー表示器７から多重表示手段が構成されている。
ここで、確認画面生成部４、保護画面生成部５及び多重表示制御部６を実現するハードウエアであるが、例えば、それぞれ専用のＬＳＩにより実現してもよいが、確認画面生成部４、保護画面生成部５及び多重表示制御部６の機能を実現するプログラムを用意し、図示せぬ携帯電話のＣＰＵが当該プログラムを実行するようにしてもよい。
図２は携帯電話の処理内容を示すフローチャートである。
【００１０】
次に動作について説明する。
ユーザがキー入力部１を操作して、例えば、受信メールの表示を選択すると（ステップＳＴ１）、確認画面生成部４が画面フォーマット格納部２に格納されている受信メール表示画面の画面形式データと、データ格納部３に格納されている受信メールの受信データとを参照して、図３（ａ）に示すような受信メール表示画面（ユーザ確認画面）を生成する（ステップＳＴ２）。
【００１１】
また、保護画面生成部５は、画面フォーマット格納部２に格納されているプライバシー保護画面の定型的な画面形式データを参照して、図３（ｂ）に示すようなプライバシー保護画面を生成する（ステップＳＴ３）。ただし、図３（ｂ）のプライバシー保護画面には、一般的な花と時刻情報が表示されているだけで、ユーザの私的な情報が表示されていないので、他人に覗かれてもプラーバシーを侵害されるおそれはない。なお、時刻情報を図示せぬクロックから取得する。
【００１２】
多重表示制御部６は、確認画面生成部４が受信メール表示画面を生成し、保護画面生成部５がプライバシー保護画面を生成すると、その受信メール表示画面とプライバシー保護画面をレンティキュラー表示器７に多重表示する（ステップＳＴ４）。
ここで、レンティキュラー表示器７は、図４に示すように、ユーザ確認画面表示用の走査線を構成する画素群と、プライバシー保護画面表示用の走査線を構成する画素群とが交互に配置されており、また、図５に示すように、ディスプレイに対する視線角度に応じて受信メール表示画面（ユーザ確認画面）又はプライバシー保護画面の何れかの視認を可能にするレンティキュラーレンズが走査線の上に載置されている。したがって、視線方向Ａからは受信メール表示画面を視認できるがプライバシー保護画面を視認できず、視線方向Ｂからはプライバシー保護画面を視認できるが受信メール表示画面を視認できない。
【００１３】
なお、レンティキュラー表示器７の詳細内容は、特開平６−２３６１５２号公報に開示されている。
これにより、図４及び図５の例では、携帯電話のディスプレイをやや右に傾ければ、受信メール表示画面の視認が可能になり、携帯電話のディスプレイをやや左に傾ければ、プライバシー保護画面の視認が可能になる。
【００１４】
ただし、走査線を構成する画素群とレンティキュラーレンズの相対的な位置を変更すれば、ディスプレイに対する受信メール表示画面（ユーザ確認画面）又はプライバシー保護画面の視線角度を適宜変更することができる。したがって、ディスプレイが正面を向いているとき受信メール表示画面の視認のみを可能にして、ディスプレイが傾いているときプライバシー保護画面の視認のみを可能にすることもできる。
また、ユーザ確認画面表示用の走査線を構成する画素群と、プライバシー保護画面表示用の走査線を構成する画素群とを、ディスプレイの縦方向において交互に配置するようにすれば、ユーザが携帯電話のディスプレイを上又は下に傾けることによって、受信メール表示画面又はプライバシー保護画面の何れかを視認することができるようになる。
【００１５】
以上で明らかなように、この実施の形態１によれば、操作に対応する内容を示すユーザ確認画面と、他人に覗かれても支障がないプライバシー保護画面とをレンティキュラー表示器７に多重表示するように構成したので、他人にディスプレイを覗かれても、他人がユーザと同じ視線角度で覗かない限り、ユーザ確認画面を見ることができず（他人にはプライバシー保護画面が見える）、ユーザの私的な情報である文章や画像等の盗視を防止することができる効果を奏する。
【００１６】
なお、この実施の形態１では、受信メール表示画面がユーザ確認画面であるものについて示したが、他人に覗かれるとプライバシーが侵害される可能性がある画面であれば、受信メール表示画面に限るものではなく、例えば、送信メール作成画面、スケジュール表示画面、写真表示画面、フリーメモ画面などがユーザ確認画面であってもよい。
また、プライバシー保護画面には、上述のユーザ確認画面以外の画面であればよく、例えば、待受画面、アニメーション、擬似メニュー、ダミー画像など、どのような画面でもよい。換言すれば、プライバシー保護画面は現在の操作に関連しない画像を表示する画面である。
【００１７】
実施の形態２．
上記実施の形態１では、多重表示制御部６が受信メール表示画面（ユーザ確認画面）とプライバシー保護画面をレンティキュラー表示器７に多重表示するものについて示したが、ユーザがキー入力部１を操作することにより、ユーザがプライバシーの保護を要求している場合にのみ、ユーザ確認画面とプライバシー保護画面をレンティキュラー表示器７に多重表示し、プライバシーの保護要求が解除されると、受信メール表示画面（ユーザ確認画面）のみを表示するようにしてもよい。即ち、多重表示制御部６がキー入力部１からのキー入力信号に従い、レンティキュラー表示器７のユーザ確認画面表示用の走査線及びプライバシー保護画面表示用の走査線に対して、ユーザ確認画面の画像信号を出力するようにしてもよい。この場合、ユーザ確認画面とプライバシー保護画面の双方が受信メール表示画面になる（図６（ａ）（ｂ）を参照）。
これにより、他人に覗かれる心配がない場合や、友達などと一緒に画面を見るような場合には、プライバシーの保護要求を解除すれば、どの視線角度からもユーザ確認画面を見ることができるので、画面の視覚性を高めることができる効果を奏する。
【００１８】
実施の形態３．
上記実施の形態１，２では、ディスプレイに対する横方向の視線角度が変化すると視認対象の画像が切り換わるものについて示したが、ディスプレイに対する縦方向の視線角度が変化すると視認対象の画像が切り換わるようにしてもよい。具体的には、レンティキュラー表示器７を使用する場合には、ユーザ確認画面表示用の走査線を構成する画素群と、プライバシー保護画面表示用の走査線を構成する画素群とをディスプレイの横方向において交互に配置する他に（図４を参照）、ユーザ確認画面表示用の走査線を構成する画素群と、プライバシー保護画面表示用の走査線を構成する画素群とをディスプレイの縦方向においても交互に配置する。
【００１９】
そして、ユーザが横方向の視線角度が変化したとき視認対象の画像が切り換わるモード▲１▼を選択すると、上記実施の形態１，２と同様に、ディスプレイの横方向において交互に配置されているユーザ確認画面表示用の走査線を構成する画素群と、プライバシー保護画面表示用の走査線を構成する画素群とに、それぞれユーザ確認画面とプライバシー保護画面の画像信号を出力する。
【００２０】
逆に、ユーザが縦方向の視線角度が変化したとき視認対象の画像が切り換わるモード▲２▼を選択すると、ディスプレイの縦方向において交互に配置されているユーザ確認画面表示用の走査線を構成する画素群と、プライバシー保護画面表示用の走査線を構成する画素群とに、それぞれユーザ確認画面とプライバシー保護画面の画像信号を出力する。
この実施の形態３によれば、図７に示すように、他人が隣にいるような場合にはモード▲１▼を選択し、他人が向い側にいるような場合にはモード▲２▼を選択すれば、プライバシーの保護を更に高めることができる効果を奏する。
【００２１】
実施の形態４．
上記実施の形態１では、多重表示制御部６が受信メール表示画面（ユーザ確認画面）とプライバシー保護画面をレンティキュラー表示器７に多重表示するものについて示したが、多重表示制御部６がレンティキュラー表示器７の代わりに、図８に示すように、バックライト１１、ドットマトリックス光シャッタ１２、マイクロレンズアレイ１３及び表示用ＬＣＤ１４から構成された表示器を使用するようにしてもよい。
【００２２】
多重表示制御部６が例えば受信メール表示画面を図８の表示器に表示する場合、図９に示すように、ドットマトリックス光シャッタ１２を構成する光シャッタ１２ａ〜１２ｈのうち、任意の光シャッタのみを開いて（図９の例では、光シャッタ１２ｇを開いて、他の光シャッタを閉じている）、その受信メール表示画面の画像信号を出力すると、その画像信号はマイクロレンズアレイ１３により屈折されて所定の方向に進行する。また、各光シャッタ１２ａ〜１２ｈは相互に配置位置が異なるので、各光シャッタ１２ａ〜１２ｈが通過させる画像信号のマイクロレンズアレイ１３における屈折方向が異なる。
【００２３】
したがって、多重表示制御部６は、例えば、ユーザによるキー入力部１の操作に伴って任意の光シャッタを選択して、受信メール表示画面の画像信号を出力すれば、受信メール表示画面の視線方向を自由に変更することができる。
同様に、任意の光シャッタを選択して、プライバシー保護画面の画像信号を出力すれば、プライバシー保護画面の視線方向も自由に変更することができる。
この実施の形態４によれば、多重表示制御部６がユーザ確認画面及びプライバシー保護画面の視認が可能になる視線角度を変更するように構成したので、例えば、他人が存在する位置に応じて視線角度を変更することができるようになり、プライバシーの保護を更に高めることができる効果を奏する。
なお、この実施の形態４では、図８の表示器に多重表示するものについて示したが、その他のあらゆる多重表示器を用いてもよい。
【００２４】
実施の形態５．
上記実施の形態４では、多重表示制御部６がユーザによるキー入力部１の操作に伴って受信メール表示画面の視線方向を変更するものについて示したが、例えば、携帯電話に内蔵されているカメラの映像の画像処理を実施して、人の存在位置を検出し、図１０に示すように、多重表示制御部６が受信メール表示画面（ユーザ確認画面）の視認が可能になる視線角度を人が存在する方向に合わせるようにしてもよい。
これにより、ユーザが特別な操作を行うことなく、ユーザが受信メール表示画面（ユーザ確認画面）を視認することができる効果を奏する。
【００２５】
【発明の効果】
以上のように、この発明によれば、操作に対応する内容を示すユーザ確認画面と、他人に覗かれても支障がないプライバシー保護画面とを多重表示するように構成したので、他人にディスプレイを覗かれても、他人がユーザと同じ視線角度で覗かない限り、ユーザ確認画面を見ることができず、ユーザの私的な情報である文章や画像等の盗視を防止することができる効果がある。
【図面の簡単な説明】
【図１】この発明の実施の形態１による携帯情報端末を示す構成図である。
【図２】携帯電話の処理内容を示すフローチャートである。
【図３】受信メール表示画面（ユーザ確認画面）とプライバシー保護画面を示す説明図である。
【図４】レンティキュラー表示器の内部構成を示す構成図である。
【図５】レンティキュラー表示器を示す断面図である。
【図６】受信メール表示画面（ユーザ確認画面）を示す説明図である。
【図７】モード切換を示す説明図である。
【図８】表示器の内部構成を示す断面図である。
【図９】視線方向の変更を示す説明図である。
【図１０】視線角度の変更を示す説明図である。
【符号の説明】
１  キー入力部、２  画面フォーマット格納部（確認画面生成手段、保護画面生成手段）、３  データ格納部（確認画面生成手段、保護画面生成手段）、４  確認画面生成部（確認画面生成手段）、５  保護画面生成部（保護画面生成手段）、６  多重表示制御部（多重表示手段）、７  レンティキュラー表示器（多重表示手段）。
【図１】
2004302186.tif 000003
【図２】
2004302186.tif 000004
【図３】
2004302186.tif 000005
【図４】
2004302186.tif 000006
【図５】
2004302186.tif 000007
【図６】
2004302186.tif 000008
【図７】
2004302186.tif 000009
【図８】
2004302186.tif 000010
【図９】
2004302186.tif 000011
【図１０】
2004302186.tif 000012